【事件の表示】
　特願２０００−１２３１３５「ユニットバスの防水パン支持構造」拒絶査定不服審判事件〔平成１３年　５月１５日出願公開、特開２００１−１３２０３３〕について、次のとおり審決する。
【結　論】
　本件審判の請求は、成り立たない。
【理　由】
第１　手続の経緯
　本願は、平成１２年４月２４日の出願であって、平成２２年１月１９日付けで拒絶査定がなされ、これに対し、同年４月２６日に拒絶査定に対する審判請求がなされるとともに、同時に手続補正がなされたものである。
　その後、平成２２年１０月１日付けで、審判請求人に前置報告書の内容を示し意見を求めるための審尋を行ったところ、請求人から何ら回答はなかった。
　
第２　平成２２年４月２６日付けの手続補正についての補正の却下の決定
［補正の却下の決定の結論］
　平成２２年４月２６日付けの手続補正を却下する。
　
［理由］
１．補正後の本願発明
　平成２２年４月２６日付けの手続補正（以下，「本件補正」という。）により，特許請求の範囲の請求項１は，次のとおりに補正された。
「【請求項１】　ユニットバスの防水パンを床スラブ上に高さ調整可能に支持脚で支持するユニットバスの防水パン支持構造において、
　防水パンの洗い場下面に防水パンの周囲から手をさし込んで裏側で高さ調整する洗い場用の支持脚を設け、
　防水パンの浴槽設置場に複数の開口部を設け、
　これら開口部裏側に位置して防水パン下面に設けた鋼材の角パイプからなる補強材に支持脚を設け、
　この浴槽設置場の個所における支持脚を構成するボルトの頭部の床スラブに接触する面を球面状に形成し、
　この支持脚の高さ調整を開口部上方から行い調整後に開口部をシールし、
　前記補強材の角パイプの下側にナットと筒状ナットを溶接するとともに、ねじ孔に合わせて孔をあけ、
　前記開口部に対向する角パイプの上面側に孔を形成したことを特徴とするユニットバスの防水パン支持構造。」
　
　上記補正は，本願の請求項１に係る発明を特定するために必要な構成である「補強材」について，「鋼材の角パイプからなる」ものであることを特定するとともに，「補強材の角パイプの下側にナットと筒状ナットを溶接するとともに，ねじ孔に合わせて孔をあけ，（防水パンの）開口部に対向する角パイプの上面側に孔を形成した」ことを特定するものであって，特許請求の範囲の減縮を目的とする。
　そこで，本件補正後の前記請求項１に記載された発明（以下，「補正発明」という。）が特許出願の際独立して特許を受けることができるものであるかについて以下検討する。
　
２．独立特許要件違反（特許法第２９条第２項違反）
２−１．引用刊行物
（１）刊行物１
　原査定の拒絶の理由に引用され，本願出願前に頒布された刊行物である，実願平４−６６５０３号（実開平６−３０２６８号）のＣＤ−ＲＯＭ（以下，「刊行物１」という。）には，次のことが記載されている。
（１ａ）「【００１２】
　【実施例】
　図１ないし図７に本考案の一実施例を示している。図例の防水パン１は、浴槽設置領域２と洗い場領域３との二つの領域に堰４により区分けされており、それぞれの領域２，３に排水口５，６が設けられている。この防水パン１の四隅、堰４の長手方向の三箇所および、浴槽設置領域２の長手方向途中の二箇所の計九箇所には、高さ調整可能な支持脚７Ａ〜７Ｉが設けられている。これら支持脚７Ａ〜７Ｉの設置位置に対応する防水パン１の九箇所には、マイナス形のねじ回し工具Ｄを挿通しうる大きさの挿通孔８が設けられている。この挿通孔８は、防水パン１の堰４や壁載せ部９の他の部分でも湯水流路面よりも高い位置に設けられており、万一の漏水を防止するためにも挿通孔８には図３に示すように防水蓋１０が着脱自在に装着されるようになっている。
　　　【００１３】
　支持脚７Ａ〜７Ｉは、一方面にナット１１が溶接されたブラケット金具１２と、ナット１１に螺合させられてブラケット金具１２を貫通するボルト１３とからなり、ボルト１３の上端にはマイナス形のねじ回し工具Ｄの先端係合部が係合されるマイナス形の溝からなる係合部１４が形成されている。この支持脚７Ａ〜７Ｉでは、ナット１１に対するボルト１３のねじ込み度合いを変えることにより、その度合いに応じて高さが調整されるようになっている。ところで、支持脚７Ｃ，７Ｄ，７Ｆ〜７Ｉについては、図１の破線に示すように、補強木１５・・を介して防水パン１に取り付けられている。これら九つの支持脚７Ａ〜７Ｉそれぞれの高さ調整を行えば防水パン１のレベル調整を行えるのである。なお、符号１６は浴槽、１７は気泡発生機能を実施するためのポンプユニット、１８は壁パネル、１９は洗い場カウンタ、２０は浴槽エプロンである。」
　
（１ｂ）「【００１５】
　一般的に、どのような場合にも、防水パン１の洗い場領域３側にドアが配置されるので、家屋の浴室設置空間の開放は、図１のＸまたはＹで示す位置となる。例えば、開放位置をＸとした場合には、防水パン１を家屋設置空間に寝かせてセットした状態で、支持脚７Ｃ，７Ｄについては開放側から防水パン１と躯体床面との間の隙間から手を差し入れて高さ調整を行えばよく、また、開放位置をＹとした場合には、支持脚７Ａ，７Ｄについて前述と同様に行えばよい。それ以外の支持脚７Ａ，７Ｂ，７Ｅ〜７Ｉについては、防水パン１を家屋設置空間に寝かせたままで、挿通孔８それぞれから防水蓋１０を取り外し、この挿通孔８に例えば図４に示すようにマイナス形のねじ回し工具Ｄを差し入れてその先端係合部を支持脚のボルト１３の溝状の係合部１４に係合させた状態で、ねじ回し工具Ｄを回動操作することにより、高さを調整すればよい。このように、防水パン１を起こしたり寝かせたりせずに済むので、防水パン設置作業に伴う労力および時間が従来に比べて大幅に軽減、短縮されるようになる。」
　
（１ｃ）【図１】には，補強木１５は，挿通孔８に位置するように配置されていることが示されている。
　
　上記記載事項（１ａ）〜（１ｃ）及び図面の記載からみて，刊行物１には，以下の発明が記載されているものと認められる。
「防水パンを躯体床面上に高さ調整可能に支持脚７Ａ〜７Ｉで支持する防水パン支持構造において，
　浴室設置空間の開放側から防水パンと躯体床面との間の隙間から手を差し入れて高さ調整する支持脚７Ａ，７Ｄを設け，
　防水パンの浴槽設置領域に複数の挿通孔８を設け，挿通孔８には防水蓋を着脱自在に設け，
　これら挿通孔８に位置するように防水パン下面に設けた補強木１５に支持脚を取り付け，
　挿通孔８それぞれから防水蓋１０を取り外し，挿通孔８より支持脚の高さを調整する，
防水パン支持構造。」（以下，「刊行物１記載の発明」という。）
　
２−２．対比・判断
　補正発明と刊行物１記載の発明とを対比すると，刊行物１記載の発明の「挿通孔８」，「支持脚７Ａ，７Ｄ」及び「浴槽設置領域」が，補正発明の「開口部」，「洗い場用の支持脚」及び「浴槽設置場」に相当しており，刊行物１記載の発明において，挿通孔８より支持脚の高さを調整した後，取り外した防水蓋１０を装着することは明らかであって，該「防水蓋１０を装着する」ことが，補正発明の「開口部をシール」することに相当している。
　そして，刊行物１記載の発明の「補強木１５」が補正発明の「補強材」に対応している。
　
　以上より，両者は，以下の点で一致している。
「ユニットバスの防水パンを床スラブ上に高さ調整可能に支持脚で支持するユニットバスの防水パン支持構造において，
　防水パンの洗い場下面に防水パンの周囲から手をさし込んで裏側で高さ調整する洗い場用の支持脚を設け，
　防水パンの浴槽設置場に複数の開口部を設け，
　これら開口部裏側に位置して防水パン下面に設けた補強材に支持脚を設け，
　この支持脚の高さ調整を開口部上方から行い調整後に開口部をシールする，
　ユニットバスの防水パン支持構造。」
　
　そして，以下の点で相違している。
（相違点１）
　補正発明の補強材が，「鋼材の角パイプから」なり，補強材に支持脚を設けるために「補強材の角パイプの下側にナットと筒状ナットを溶接するとともに，ねじ孔に合わせて孔をあけ，防水パンの開口部に対向する角パイプの上面側に孔を形成し」ているのに対し，刊行物１記載の発明の補強材は，鋼材の角パイプからなるものではなく，支持脚を取り付けるための具体的な構成も不明確な点。
　
（相違点２）
　補正発明は，「この浴槽設置場の個所における支持脚を構成するボルトの頭部の床スラブに接触する面を球面状に形成し」ているのに対し，刊行物１記載の発明は，そのようになっていない点。
　
　各相違点について検討する。
（相違点１について）
　防水パンの裏面に設ける補強材を鋼材等金属の角パイプからで構成すること，及び，鋼材等金属の角パイプから構成された補強材に支持脚を設けるに際して，補強材の角パイプの下側にナットと筒状ナットを溶接するとともに，ねじ孔に合わせて孔をあけ，防水パンの開口部に対向する角パイプの上面側に孔を形成することは，例えば，平成２２年１０月１日付け審尋にて提示した，特開平０４−０５０５９５号公報（２頁左下欄−右下欄，第１図−第４図），特開平１０−１９５９５０号公報（【０００４】，【００１１】，図２），特開平９−４００４号公報（【００１１】，【００１２】，図２）等に記載されているように，周知の技術である。
　そして，刊行物１記載の発明の補強材，及び，支持脚の取付構造として，上記周知の技術を採用することは，当業者が容易になし得たことである。
　
（相違点２について）
　防水パン支持構造において，ボルトの頭部と床スラブの摩擦抵抗を小さくするために支持脚のボルトの頭部等の床スラブに接触する面を球面状に形成することは，例えば，平成２１年９月３０日付けの拒絶理由で提示した，特開平６−４９８７５号公報（【０００３】，【００１２】，【００１３】， 図４，図５），特開平９−２７９６５１号公報（【００１２】，図１），平成２２年１月１９日付け補正の却下の決定で提示した，実願昭５６−１２０１６３号（実開昭５８−０２５３７６号公報）のマイクロフィルム（第５図）に記載されているように周知の技術である。
　そして，刊行物１記載の発明の浴槽設置場の個所における支持脚に上記周知の技術を採用することは，当業者が容易になし得たことである。
　
　以上より，補正発明は，刊行物１記載の発明及び周知技術に基いて当業者が容易に発明をすることができたものであるから，特許法第２９条第２項の規定により特許出願の際独立して特許を受けることができないものである。
　
３．補正の却下の決定のむすび
　したがって，本件補正は，平成１８年法律第５５号改正附則第３条第１項によりなお従前の例によるとされる同法による改正前の特許法第１７条の２第５項において準用する同法第１２６条第５項の規定に違反するので，同法第１５９条第１項において読み替えて準用する同法第５３条第１項の規定により却下すべきものである。
　よって，上記補正の却下の決定の結論のとおり決定する。
　
　
第３　本願発明
１．本願発明
　平成平成２２年４月２６日付けの手続補正は上記のとおり却下されたので，本願の請求項１に係る発明（以下，「本願発明」という。）は，平成２１年８月１０日付け手続補正により補正された明細書の特許請求の範囲の請求項１に記載された事項により特定される，以下のとおりのものである。
「ユニットバスの防水パンを床スラブ上に高さ調整可能に支持脚で支持するユニットバスの防水パン支持構造において、
　防水パンの洗い場下面に防水パンの周囲から手をさし込んで裏側で高さ調整する洗い場用の支持脚を設け、
　防水パンの浴槽設置場に複数の開口部を設け、
　これら開口部裏側に位置して防水パン下面に設けた補強材に支持脚を設け、
　この浴槽設置場の個所における支持脚を構成するボルトの頭部の床スラブに接触する面を球面状に形成し、
　この支持脚の高さ調整を開口部上方から行い調整後に開口部をシールしたことを特徴とするユニットバスの防水パン支持構造。」
　
２．引用刊行物
（１）刊行物１：実願平４−６６５０３号（実開平６−３０２６８号）のＣＤ−ＲＯＭ
　原査定に引用され，本願出願前に頒布された上記刊行物１及びその記載内容は，前記「第２　２．２−１．」に記載したとおりである。
　
３．対比・判断
　本願発明は，前記「第２」で検討した補正発明から「補強材」についての限定事項を省いたものである。
　そうすると，本願発明の構成要件を全て含み，さらに他の限定事項を付加したものに相当する補正発明が，前記「第２　２．」に記載したとおり，刊行物１記載の発明及び周知技術に基いて当業者が容易に発明をすることができたものであるから，本願発明も，同様の理由により，刊行物１記載の発明及び周知技術に基いて当業者が容易に発明をすることができたものである。
　
　
第４　むすび
　以上のとおり，本願発明は，刊行物１記載の発明及び周知技術に基いて当業者が容易に発明をすることができたものであり，特許法第２９条第２項の規定により特許を受けることができないから，本願の他の請求項に係る発明を検討するまでもなく，本願は拒絶をすべきものである。
　よって，結論のとおり審決する